(57)【特許請求の範囲】
【請求項１】
コンクリートのコーナー部を構築する際に該コーナー部の外側の型枠を支持するための一方又は他方の端太を所定角度で固定する対をなす端太保持部材を有し、各々の端太保持部材には、端太を挿入する筒状の挿入部と、この挿入部の高さ方向の一端面に、前記挿入部へ端太を挿入する方向と直交する一方向に延設された平板状の結合部と、前記挿入部の端太挿入開口の少なくとも一方における前記結合部が延設された側の壁部に設けた補強部と、この補強部に設けられ、一方と他方の端太保持部材の前記結合部を前記挿入部が設けられた面を相反する方向にして重ねた時に連通する筒状の枢支孔及び該枢支孔に挿入される枢支部材と、を備え、さらに、一方と他方の端太保持部材の前記結合部を前記挿入部が設けられた面を相反する方向にして重ねた時における互いの前記結合部の一方面に設けられた連結台座と、これら連結台座間に設けられた角締調整部材と、連結台座の間隔を一定に維持すると共に間隔の調整を行う角締部材とからなる角締部を有したことを特徴とする角締金具。
【発明の詳細な説明】
【技術分野】
【０００１】
本発明は、空間内に角部分が露出したコーナー部をコンクリートにより構築する際に用いる型枠を、簡単かつ確実に水平端太により固定支持するための角締金具に関する。
【背景技術】
【０００２】
コンクリートにより構造体を構築するには、コンクリートを打設するまでに現場において、当該構造体の形状となるように型枠を配置する必要がある。型枠は、例えば壁面を構築する場合、対向状に型枠を配置し、該型枠間に、セパレータと称する型枠同士の緊結用鋼材を設けてコンクリートの打設圧力により型枠間が開いたり（又はコンクリート打設前に型枠間が閉じたり）しないようにする。端太は、型枠の外側に設けて、互いの端太を固定したり外部から支持したりすることで、型枠をさらに固定する。
【０００３】
上記の壁面のように、型枠間にセパレータを設けることのできる構造体の場合は、該セパレータと端太により確実に型枠を固定することができるが、空間内に角部分が露出するような、例えば壁面の端部同士により構成されるコーナー部では、型枠の固定が容易ではない。
【０００４】
その理由は、例えば、直角のコーナー部を構築する場合で説明すると、型枠は上記のとおりコーナー部においても外側と内側とに対向状に配置するが、コーナー部の「外側」を構成すべく一方と他方から設けた直交する両型枠の各々の端太においては、壁面の厚み分だけ、これら外側の両型枠の端部と対向する内側の型枠が存在せず、よって、セパレータを設けることができないのである。
【０００５】
なお、コーナー部の「内側」を構成する一方と他方から設けた直交する両型枠の各々の端部においては、これら内側の両型枠の端部と対向する外側の（コーナー部に至るまでの）型枠が存在するので、セパレータを設けることができる。
【０００６】
したがって、コーナー部だけはセパレータを用いた通常の型枠の固定をせず、専ら端太を用いたいわゆる角締という固定手法によって型枠を固定する。角締は、概ね、型枠の外側において、コーナー部へ向かう一方と他方から水平端太を該コーナー部において上下交差させて設け、この交差部分の外側に垂直端太を設け、この垂直端太をターンバックル付のチェーンや線状鋼材により一方と他方から均等に引っ張るというものである。
【０００７】
上記角締手法によれば、垂直端太が一方と他方から引っ張ることで、コーナー部の外側の一方と他方の型枠を開こうとするコンクリート打設時の打設圧力に抗して、該垂直端太のコーナー部の外側方向への移動が禁止されるので、コーナー部の外側における一方と他方の型枠が固定される（角締めが行われる）のである。
【０００８】
ところが、上記の角締手法は、垂直端太を一方と他方から均等に引っ張るようにしなければならず、また、均等に引っ張ろうとしても一方と他方から同時に行おうとすれば最低でも作業者が２人要し、さらに作業者１人で行おうとすると現場において一方と他方を何回も往復して調整しつつ行う必要があるなど、手間や時間などがかかるという問題があった。
【０００９】
上記の角締手法の問題を解決するために例えば特許文献１〜３には、コーナー部の外側で交差状に設けた一方と他方の水平端太を互いに固定するように構成された角締金具が提案されている。
【００１０】
特許文献１には、下面及びこの下面と隣接する２側面が開放され、開放されていない対向する２側面の下部にくさび型の留め具を挿入する孔が形成された第１の支持部と、この第１の支持部の開放された２側面のうちの一方側面と隣接した上面に垂直状に延設されると共にこの延設部の該上面とは反対の端部において鉤状部が形成された第２の支持部と、を一体的に備えた角締金具が示されている。
【００１１】
特許文献１の角締金具は、一方と他方の水平端太のうち下に位置する（例えば一方の）水平端太を第１の支持部の開放空間に挿入し、上に位置する（例えば他方の）水平端太を第２の支持部の鉤状部に係合させ、第１の支持部の開放されていない２側面の孔に留め具を挿入することで、コーナー部で交差する一方と他方の水平端太を互いに固定するものである。
【００１２】
特許文献２には、直線状の本体枠と、この本体枠の両端に、本体枠の直線方向と平行でかつ該直線方向の端部にピンが挿入可能な孔が形成された３枚の面により上下２段の嵌合部が形成され、該本体枠に対して４５°の角度で互いに外側に開くように各々設けられた枠部材と、本体枠の直線中央に螺合部材を螺入するねじ孔と、該螺合部材によってコーナー部に設けた垂直端太を（コーナー部における内側へ）押す当金と、を有した角締金具が示されている。
【００１３】
特許文献２の角締金具は、一方の枠部材の上段の嵌合部にコーナー部における一方の水平端太を、他方の枠部材の下段の嵌合部にコーナー部における他方の水平端太を挿入し、嵌合部における孔にピンを挿入して、一方と他方の水平端太が該嵌合部から飛び出さないようにし、そのうえで当金を垂直端太に当てて、本体枠の直線中央に螺合部材を螺入して当金を介して垂直部材を押圧することで、コーナー部で交差する一方と他方の水平端太を互いに固定するものである。
【００１４】
しかしながら、特許文献１の角締金具は、第１の支持部の一方の水平端太は留め具を挿入することで長手方向の移動は規制されるが、第２の支持部の他方の水平端太が長手方向に自由に移動可能であるため、コーナー部の一方の水平端太にコンクリートの打設圧力がかかると、つまり不均等な力が生じると第２の支持部における他方の水平端太が移動してしまい、型枠を固定できないという問題がある。
【００１５】
なお、特許文献１には上記構成の他に第２の支持部が鉤状部の上面に形成された孔から他方の水平端太にピンを嵌入する構成が示されているが、この問題は、他方の水平端太に、角締め作業毎に孔を開ける必要があり、手間であるといった問題がある。
【００１６】
また、特許文献２の角締金具は、直線状の本体枠の中央でコーナー部の内側に向けて螺合部材を螺入すると、一方と他方の枠部材の嵌合部における水平端太に対して均等にコンクリートの打設圧力がかかっている場合は螺合部材と水平端太との接触により各々の長手方向の移動は規制される。
【００１７】
特許文献２の角締金具も、特許文献１と同様に不均等に力がかかる場合や、螺入部材が過度に螺入された場合は、一方と他方の水平端太においてかかる不均等な力が顕著に現れ、結果的に、不均等なコンクリート打設圧力や角締金具の取り付けの不具合に起因して水平端太が移動してしまい、型枠を確実に固定できないという問題があった。
【００１８】
上記特許文献１及び２で生じる課題を解決するために、本出願人は特許文献３に示す角締金具を提案した。特許文献３では、コーナー部を構築する際にコーナー部の外側の型枠を支持するための一方及び他方の端太を互いに固定するため、対をなす各々に、端太を挿入する筒状の挿入部と、この挿入部の高さ方向の一端部に設けられ、挿入部の端太挿入方向の一端側でかつ該挿入部に近い位置に枢支孔及び挿入部の端太挿入方向の他方側でかつ該挿入孔から遠い位置に角締孔が形成された平坦状の結合部と、この結合部と挿入部とに亘って設けられた補強部とを具備し、さらに、対をなす一方の結合部の裏面と他方の結合部の表面とを重ねたときに、枢支孔に挿入する枢支部材と、角締孔に挿入する角締部材と、を備えた構成としている。
【００１９】
特許文献３の角締金具は、特許文献１及び２においてコーナー部の一方と他方の水平端太に均等なコンクリート打設圧力がかかる場合にしか使用できないといった課題を解決して実用性に優れたものであるが、次の改良点が見つかった。
【００２０】
すなわち、特許文献３の角締金具は、「角締部材を角締孔に挿入」するが、角締部材がそれぞれの結合部における角締孔位置が相反する方向へ回転しようとするせん断力を受けており、繰り返しの使用によって角締部材がせん断する可能性があった。
【００２１】
また、特許文献３の角締金具は、上記のとおり角締部材を角締孔に挿入するが、簡単に抜け落ちてしまう構成では意味がないので、一例としては（長さ方向に先端部が尖っており、漸次幅が広がって後端部に至る途中にくびれが形成された）くさび型の角締部材を採用しているが、この角締部材を角締孔に挿入する（打ち込む）ことが手間となっていた。
【００２２】
さらに、特許文献３の角締金具は、コンクリートでコーナー部を構築する際に型枠を支持する端太を固定するのであるが、コンクリート構造物のコーナー部は直角だけではないので、上記の特許文献１及び２の課題を解消して一定の効果を有したまま、様々な角度のコーナー部を構築する際にも採用したい旨の要請があった。
【００２３】
そこで、本出願人は、上記特許文献３の改良点及び要請に応えるべく、さらに特許文献４の角締金具を提案した。特許文献４は、一方及び他方の端太保持体における各々の結合部の裏面同士を重ねた際に連通する枢支孔に枢支部材を挿入し、Ｌ字状の棒材周面に螺子が形成された角締部材の短辺部を他方の端太保持体に形成された取付孔に挿入し、該角締部材の長辺部を一方の端太保持体に形成された台座の調整孔に挿入し、該取付孔と該調整孔から突出した該角締部材のそれぞれの端部に各々固定部材を螺入し、一方及び他方の端太保持体の各々の挿入部にそれぞれ水平端太を挿入する構成とした。
【００２４】
しかしながら、特許文献４の構成は、特許文献１〜３に対しては優位な作用効果を得ることができるものの、次の新たな不具合と改良点が発見された。特許文献４の構成は、枢支部材を一方と他方の端太保持体の結合部の裏面同時を重ねた際に連通した各々の枢支孔に挿入し、Ｌ字状で周面に螺子が形成された角締部材の螺子を締めることで一方と他方の端太保持体が枢支部材を中心に回転して端太のコーナー部の開き止めを行うようにしているが、上記角締部材を調整孔と取付孔との間で取り付ける際に角度ずれが生じて十分に角締力が端太に加わらないことがある。
【００２５】
また、特許文献４の構成は、角締部材と、この角締部材を受ける調整孔と取付孔周辺構造に端太の（型枠を介したコンクリート堆積圧による）開こうとする力や、この開こうとする力を阻止しようとする角締力に、長期に亘って耐えることができず、変形したりして、安定して角締を行うことができない可能性がある。
【００２６】
さらに、特許文献４の構成は、一方と他方の端太保持体、上記枢支孔に枢支部材を挿入していたが、これだと端太に対してコーナー部の圧力を受ける部分が挿入部の板厚のみとなり、枢支部材の変形の可能性がありコーナー部の角度維持がしにくく、信頼性に問題がある。
【先行技術文献】
【特許文献】
【００２７】
【特許文献１】特開平１１−２９３９１６号公報
【特許文献２】実公平７−６３５２号公報
【特許文献３】特許第４９３８８１６号公報
【特許文献４】特願２０１８−１４２３０４
【発明の概要】
【発明が解決しようとする課題】
【００２８】
本発明が解決しようとする問題は、特許文献４の角締金具は、十分に角締力が端太に加わらないこと、端太の開こうとする力や角締力に長期に亘って耐えることができず、変形したりして、安定して角締を行うことができない可能性があること、コーナー部の角度維持がしにくく、信頼性に問題があること、である。
【課題を解決するための手段】
【００２９】
上記課題を解決する本発明の角締金具は、コンクリートのコーナー部を構築する際に該コーナー部の外側の型枠を支持するための一方又は他方の端太を所定角度で固定する対をなす端太保持部材を有し、各々の端太保持部材には、端太を挿入する筒状の挿入部と、この挿入部の高さ方向の一端面に、前記挿入部へ端太を挿入する方向と直交する一方向に延設された平板状の結合部と、前記挿入部の端太挿入開口の少なくとも一方における前記結合部が延設された側の壁部に設けた補強部と、この補強部に設けられ、一方と他方の端太保持部材の前記結合部を前記挿入部が設けられた面を相反する方向にして重ねた時に連通する筒状の枢支孔及び該枢支孔に挿入される枢支部材と、を備え、さらに、一方と他方の端太保持部材の前記結合部を前記挿入部が設けられた面を相反する方向にして重ねた時における互いの前記結合部の一方面に設けられた連結台座と、これら連結台座間に設けられた角締調整部材と、連結台座の間隔を一定に維持すると共に間隔の調整を行う角締部材とからなる角締部を有したことを特徴としている。
【発明の効果】
【００３０】
本発明は、枢支孔を挿入部に設けた補強部に設けることにより、枢支部材を中心とした端太を介したコンクリート打設圧力で型枠が広がろうとする力に耐えることができるようになり、また、前記型枠が広がろうとする際には端太の角度も広がろうとするが、角締部において連結台座間を間隔を一定に維持すると共に前記角度が広がるようであれば該連結台座の間隔を狭くすることで調整する角締調整部材と角締部材を有していることにより、角締部の変形が生じることなく端太の開こうとする力や角締力に長期に亘って耐えることができ、安定かつ容易に角締を行うことができると共にコーナー部の角度維持が可能でき、よって信頼性を向上させることができる。
【図面の簡単な説明】
【００３１】
【図１】本発明の角締金具の構成を示す分解斜視図である。
【図２】本発明の角締金具における一方の端太保持部材であり、（ａ）は平面方向から見た状態を、（ｂ）は（ａ）の右側面方向から見た状態を、各々示す図である。
【図３】本発明の角締金具における他方の端太保持部材であり、（ａ）は底面方向から見た状態を、（ｂ）は（ａ）の右側面方向から見た状態を、各々示す図である。
【図４】コンクリート打設作業前のコーナー部の構成を説明するための図である。
【図５】コーナー部において本発明の角締金具を設置した状況を示す図である。
【発明を実施するための形態】
【００３２】
本発明は、端的に言えば、長期に亘る使用に耐え得る丈夫な構造で、容易に角締ができると共に安定かつ確実にコーナー部の角度維持ができることを目的とし、この目的を、一方及び他方の端太保持部材における結合部の、一方及び他方の端太をそれぞれ挿入する挿入部が設けられた側を互いに相反する方向にして重ねた場合に連通する枢支孔を筒状とし、これらを一方及び他方の端太保持部材における補強部に設けると共に、前記のように重ねた結合部の一方面にそれぞれ連結台座を設け、これら連結台座間に設けられた角締調整部材と、連結台座の間隔を一定に維持すると共に間隔の調整を行う角締部材とからなる角締部を備えることで達成した。
【００３３】
例えば、特許文献４の構成において課題とした、端太の（型枠を介したコンクリート堆積圧による）開こうとする力や、この開こうとする力を阻止しようとする角締力に、長期に亘って耐えることができず、変形したりして、安定して角締を行うことができない点は、挿入部の端太挿入開口の少なくとも一方における結合部が延設された側の壁部に設けた補強部に枢支孔と枢支部材を設けることで、前記端太の開こうとする力や角締力の支点となる枢支孔周りの補強と耐荷重性の向上を図っている。
【００３４】
例えば、特許文献４の構成において課題とした、端太に対してコーナー部の圧力を受ける部分が挿入部の板厚のみとなり、枢支部材の変形の可能性がありコーナー部の角度維持がしにくく、信頼性に問題がある点に関しては、上記のとおり枢支孔周りの補強を図ると共に、枢支孔を筒状とすることで、結合部（に形成された枢支孔）の板厚で枢支部材を受けることに代えて、筒状の枢支孔でもって枢支部材を支持することで、該枢支部材の変形を抑制している。
【００３５】
例えば、特許文献４の構成において課題とした、Ｌ字状の角締部材を調整孔と取付孔との間で取り付ける際に角度ずれが生じて十分に角締力が端太に加わらない点については、形状を等しくした連結台座を結合部の挿入部が設けられた側と反対の端部に各々設けて、これを力点（支点は枢支部材）とし、角締部材によりこれら連結台座間の間隔を調整する構成とすることで、一方と他方の端太保持部材における角締部材及びこの角締部材を受ける台座の構成の相違における荷重の不均等化を抑制している。
【実施例】
【００３６】
以下、本発明の角締金具の一実施例について、図１〜図５を用いて詳細に説明する。角締金具１は、図４に示すような空間内に角部分が露出するような壁面の端部同士で構成されるコーナー部Ｘを構築する際に、該コーナー部Ｘの外側の型枠Ｔ１，Ｔ２を支持するための一方及び他方の水平な端太Ｐ１，Ｐ２（以下、水平端太Ｐ１，Ｐ２という）を互いに固定するためのものである。
【００３７】
本例で一例として示すコーナー部Ｘは直角であり、内側の型枠Ｔｉと外側の型枠Ｔ１，Ｔ２において、コーナー部以外の直線部位について、図４に示すようにセパレータＳを設けて内側の型枠Ｔｉと外側の型枠Ｔ１，Ｔ２を固定する。一方、コーナー部Ｘの外側における型枠Ｔ１，Ｔ２の互いが接合する端部は、セパレータＳを設けることができないので、本発明の角締金具１を用いる。
【００３８】
角締金具１は、概略的には、対をなした一方の端太保持部材１Ａと他方の端太保持部材１Ｂと、枢支部材２と、角締部３とを有する構成である。
【００３９】
一方と他方の端太保持部材１Ａ及び１Ｂで共通する構成について端太保持部材１Ａを用いて説明する。端太保持部材１Ａは、一方の水平端太Ｐ１を挿入するための挿入部１Ａａを有する。挿入部１Ａａは、本例の場合、一方の水平端太Ｐ１として角材を用いるため、同様に矩形筒状としている。挿入部１Ａａの内面寸法は、水平端太Ｐ１の外面寸法より若干大きくしている。こうすることで、水平端太Ｐ１の挿入作業性が向上する。
【００４０】
また、端太保持部材１Ａは、挿入部１Ａａの高さ方向の一端面が該挿入部１Ａａへ水平端太Ｐ１を挿入する方向と直交する一方向に延設された平板状の結合部１Ａｂが形成されている。
【００４１】
さらに、端太保持部材１Ａには、挿入部１Ａａにおける結合部１Ａｂが延設された側で該挿入部１Ａａの高さ方向における例えば水平端太Ｐ１の挿入方向の両端部の側面に、Ｌ字状の補強部１Ａｃ，１Ａｃを立設している。
【００４２】
補強部１Ａｃ，１Ａｃは互いの谷側を突き合わせて設けられており、山側における挿入部１Ａａとの取付面ではない壁面に、後述枢支孔１Ａｄ，１Ａｄが例えば溶接により設けられている。補強部１Ａｃは、挿入部１Ａａに受ける水平端太Ｐ１の回転圧力に降伏して（変形して）結合部１Ａｂに対する位置が変わる、つまり端太保持部材１Ａ自体の変形や枢支孔１Ａｄに挿入された後述枢支ボルト２の変形を阻止するためのものである。
【００４３】
さらに、結合部１Ａｂの挿入部１Ａａに近い位置であって、該挿入部１Ａａの端太挿入開口の本例では両方の端部には、該開口を塞ぐことなく延設され、補強部１Ａｃ，１Ａｃ高さ方向とほぼ同等の軸長とされた枢支孔１Ａｄ，１Ａｄが上記のとおり例えば溶接により設けられている。
【００４４】
枢支孔１Ａｄ，１Ａｄは筒状とされ、他方の端太保持部材１Ｂに同様に形成された枢支孔１Ｂｄ，１Ｂｄとは、一方と他方の該端太保持部材１Ａ，１Ｂの各々の結合部１Ａｂ，１Ｂｂを挿入部１Ａａ，１Ｂａが相反するようにして重ねた際に連通する。また、枢支孔１Ａｄ，１Ｂｄが連通した際に、寸切ボルトでなる枢支ボルト２（枢支部材）が挿入される。枢支孔１Ａｄ，１Ｂｄから突出した枢支ボルト２の両端には座金Ｗを介してナットＮが螺着される。
【００４５】
以上が、端太保持部材１Ａと、端太保持部材１Ｂとに共通する構成であり、挿入部１Ａａ、結合部１Ａｂ、補強部１Ａｃ、枢支部１Ａｄ、は、端太保持部材１Ｂにおいては、挿入部１Ｂａ、結合部１Ｂｂ、補強部１Ｂｃ、枢支孔１Ｂｄとしている。
【００４６】
端太保持部材１Ａと、端太保持部材１Ｂとで異なる構成として、端太保持部材１Ａは、図２に示すように、結合部１Ａｂの「挿入部１Ａａが形成された側の面」における該挿入部１Ａａが位置する端部とは反対側の端部でかつ該挿入部１Ａａから遠い位置に、端太保持部材１Ｂは、図３に示すように、結合部１Ｂｂの「挿入部１Ｂａが形成された側と反対の面」における該挿入部１Ｂａが位置する端部とは反対側の端部でかつ該挿入部１Ｂａから遠い位置に、各々取付孔１Ａｅ、１Ｂｅを介した連結台座３Ａ，３Ｂを設けている。
【００４７】
すなわち、連結台座３Ａ，３Ｂは、本例では例えばＴ字状とされ、一方と他方の端太保持部材１Ａ，１Ｂの結合部１Ａｂ，１Ｂｂを挿入部１Ａａ、１Ｂａが設けられた面を相反する方向にして重ねた時における一方面（表面又は裏面、上面又は下面）に突出するように設けられる。この連結台座３Ａ，３Ｂは、Ｔ字の垂直部３Ａａ、３Ｂａは外周部に（雄）螺子が形成され、Ｔ字の水平部３Ａｂ，３Ｂｂは筒状とされ、連結台座３Ａ，３Ｂの垂直部３Ａａ，３Ｂａを取付孔１Ａｅ，１Ｂｅに螺入して結合部１Ａｂ、１Ｂｂの板厚を考慮して高さ調整しつつ取り付ける。
【００４８】
連結台座３Ａ，３Ｂの水平部３Ａｂ、３Ｂｂには本発明の角締調整部材としての角締ボルト３ａが挿入される。角締ボルト３ａの両端で水平部３Ａｂ、３Ｂｂから突出した端部には座金Ｗを介して本発明の角締部材としての角締ナット３ｂが設けられる。本発明では、連結台座３Ａ，３Ｂと角締ボルト３ａ、角締ナット３ｂにより角締部３が構成される。
【００４９】
上記構成の角締金具１は、次のように使用する。図４及び図５に示すように、コーナー部Ｘを構成すべく内側と外側に型枠Ｔを配置する。図４及び図５においては、外側の型枠Ｔについてのみ一方と他方とを区別すべく型枠Ｔ１（一方）、型枠Ｔ２（他方）としている。
【００５０】
セパレータＳで内側の型枠Ｔｉと外側のＴ１，Ｔ２を仮支持し、コンクリート打設前において、一方の型枠Ｔ１を支持する一方の水平端太Ｐ１に一方の端太保持部材１Ａの挿入部１Ａａを、同様に、他方の型枠Ｔ２を支持する他方の水平端太Ｐ２に例えば本例では一方の端太保持部材１Ａに対して表裏反転させた、つまり一方の端太保持部材１Ａの挿入部１Ａａと相反する方向に向けた他方の端太保持部材１Ｂの挿入部１Ｂａを、それぞれ挿入する。
【００５１】
次に、端太保持部材１Ａ，１Ｂをコーナー部Ｘにおける互いの水平端太Ｐ１，Ｐ２の交差部位に近づけつつ、枢支孔１Ａｄ，１Ｂｄが連通するように位置合わせを行い、連通したら枢支ボルト２を挿入する。
【００５２】
枢支孔１Ａｄ，１Ｂｄに挿入した枢支ボルト２にナットＮを螺着した後、挿入部１Ａａ，１Ｂａが互いに相反するように結合部１Ａｂ，１Ｂｂを重ねた状態の取付孔１Ａｅ，１Ｂｅのそれぞれに対して、連結台座３Ａ，３Ｂの垂直部３Ａａ，３Ｂａを、結合部１Ａｂ，１Ｂｂの板厚を考慮して高さ調整しつつ取り付ける。
【００５３】
取付孔１Ａｅ，１Ｂｅのそれぞれに対して、連結台座３Ａ，３Ｂの水平部３Ａｂ，３Ｂｂが互いに水平で同軸となるように取り付けた後、水平部３Ａｂ，３Ｂｂに角締ボルト３ａを挿入し、該角締ボルト３ａの両端から角締ナット３ｂを螺着する。この状態で一通りの組み立てが完了する。
【００５４】
この後、角締金具１によるコーナー部Ｘにおける水平端太Ｐ１，Ｐ２の角締めの微調整を行う。水平端太Ｐ１，Ｐ２との垂直方向に関する距離、例えば水平端太Ｐ１，Ｐ２を挿入部１Ａａ，１Ｂａに挿入した後、結合部１Ａｂ，１Ｂｂに隙間が生じる場合、枢支ボルト２の両端に設けたナットＮにより調整する。
【００５５】
一方、連結台座３Ａ，３Ｂにおいて結合部１Ａｂ，１Ｂｂの板厚の差で水平部３Ａｂ，３Ｂｂが同軸とならない場合は、連結台座３Ａ，３Ｂを取り付ける際、角締ボルト３ａを水平部３Ａｂ，３Ｂｂに挿入しつつ、該垂直部３Ａａ，３Ｂａのいずれか一方の取付孔１Ａｅ，１Ｂｅの螺進退量を調整して高さを合わせてもよい。
【００５６】
そして、コーナー部Ｘにおける水平端太Ｐ１，Ｐ２の角度に関しては、角締ボルト３ａが挿入された連結台座３Ａ，３Ｂの間隔を調整することで、枢支ボルト２を中心とした水平端太Ｐ１，Ｐ２の角度調整を行う。すなわち、連結台座３Ａ，３Ｂは、コンクリート打設圧力として型枠Ｔ１，Ｔ２が開こうとして水平端太Ｐ１，Ｐ２でなすコーナー部Ｘの角度が大きくなろうとするが、このとき枢支ボルト２を中心とした角締部３における連結台座３Ａ，３Ｂの間隔も開こうとする。
【００５７】
角締ナット３ｂ，３ｂは、角締ボルト３ａにおける連結台座３Ａ，３Ｂの距離が開く移動を阻止しているが、角締ナット３ｂ，３ｂ一方又は両方を締めるあるいは開くことで、連結台座３Ａ，３Ｂの距離を容易に調整できる。
【００５８】
以上において、本例では、コーナー部Ｘの角度が９０°の場合を説明したが、基本的には上記したように連結台座３Ａ，３Ｂ同士の距離を調整することで、コーナー部Ｘの任意の角度に対応させることができる。また、本角締金具１は、端太保持部材１Ａ，１Ｂに対して連結台座３Ａ，３Ｂを別部材として実作業時に取り付ける構成としているので、連結台座３Ａを表裏反転させてその表面側に連結台座３Ａを設ければ、上記端太保持部材１Ｂに連結台座３Ｂを設けたこととなり、つまり対をなす端太保持部材１Ａ，１Ｂを共用対応可能であるため、製作コスト面でも有利である。
【符号の説明】
【００５９】
１  角締金具
１Ａ，１Ｂ  端太保持部材
１Ａａ，１Ｂａ  挿入部
１Ａｂ，１Ｂｂ  結合部
１Ａｃ，１Ｂｃ  補強部
１Ａｄ，１Ｂｄ  枢支孔
１Ａｅ，１Ｂｅ  取付孔
２  枢支ボルト（枢支部材）
３  角締部
３Ａ，３Ｂ  連結台座
３ａ  角締ボルト（角締調整部材）
３ｂ  角締ナット（角締部材）
Ｘ  コーナー部
Ｐ１，Ｐ２  水平端太
Ｔ１，Ｔ２  型枠
【図１】
0006947432.tif 000002
【図２】
0006947432.tif 000003
【図３】
0006947432.tif 000004
【図４】
0006947432.tif 000005
【図５】
0006947432.tif 000006